(57)【特許請求の範囲】
【請求項１】
衛星地球局である複数の子局と、前記子局からの通信要求信号を衛星回線を介して受信したとき前記子局及び相手の子局に衛星回線の割り当てを行なうセンター局とからなるデマンドアサインメント多元接続通信方式の回線解放方法において、前記子局が前記相手の子局との通信中に電源オフが要求された場合に、前記相手の子局に対して自局の電源オフが要求されたことを通知した後に、前記センター局との通話終了処理を行うことにより、通信回線の解放が行なわれることを特徴とするＤＡＭＡ衛星通信方式の回線解放方法。
【請求項２】
前記子局が、前記相手の子局に対して電源オフの要求による通話終了を通知した後に、前記子局および前記相手の子局がそれぞれに前記センター局との前記通話終了処理を行うことにより、通信回線の解放が行なわれることを特徴とする請求項１記載のＤＡＭＡ衛星通信方式の回線解放方法。
【請求項３】
衛星地球局である複数の子局と、前記子局からの通信要求信号を衛星回線を介して受信したとき前記子局及び相手の子局に衛星回線の割り当てを行なうセンター局とからなるデマンドアサインメント多元接続通信方式の回線解放装置において、前記子局が衛星からの受信データを解析する解析手段と、前記センター局または前記相手の子局へ送る制御データを生成する送信データ生成手段と、前記解析手段出力の解析結果および自局の電源オン／オフ要求を行うスイッチの状態を監視し、前記相手の子局との通信中に電源オフが要求された場合に、前記相手の子局に対して自局の電源オフが要求されたことを通知する指示と、前記センター局との通話終了手続きに入る指示とを行い、前記通話終了手続きが完了したことを確認した後に、前記自局内の電源電圧の供給をオフとする制御を行う判断手段と、を備えることを特徴とするＤＡＭＡ衛星通信方式の回線解放装置。
【請求項４】
衛星地球局である複数の子局と、前記子局からの通信要求信号を衛星回線を介して受信したとき前記子局及び相手の子局に衛星回線の割り当てを行なうセンター局とから成るデマンドアサインメント多元接続通信方式の回線解放装置において、前記子局がアンテナからの受信信号を周波数変換するとともに送信信号を周波数変換して前記アンテナへ送出する無線部と、周波数変換された前記受信信号を復調する復調部と、復調された受信データを解析する受信データ解析部と、解析された前記受信データに基づく通信状態および自局の電源オン／オフ要求を行うスイッチの状態を監視し、電源オフが要求されたとき、子局間の通信の場合には、前記相手の子局への通話終了を通知するとともに前記センター局との通話終了手続きを完了した後に前記自局内の電源供給のオフを指示し、前記センター局間の通信の場合には、前記センター局との通話終了手続きを完了した後に前記自局内の電源電圧の供給のオフを指示する判断部と、前記センター局または前記相手の子局へ送る制御データを生成し送信データを多重化する送信データ生成部と、多重化された前記送信データを変調して前記無線部へ供給する変調部と、外部のデータ入出力装置との間で送受信データを受け渡すデータインタフェース部と、前記判断部の指示により各部に電源電圧を供給する電源供給部と、より構成されることを特徴とするＤＡＭＡ衛星通信方式の回線解放装置。
【発明の詳細な説明】
【０００１】
【発明の属する技術分野】
本発明は、衛星通信回線を利用したデマンドアサインメント多元接続（以下、ＤＡＭＡと略す。）の通信方式に関し、特にＤＡＭＡによりアサインされた衛星回線の解放方法とその装置に関する。
【０００２】
【従来の技術】
従来、この種のＤＡＭＡ衛星通信方式の回線解放装置は、衛星回線の開放を正常に行わせるため、たとえば、特開平１０−２００４５４号公報に開示されているように、子局の電源スイッチをオン状態からオフ状態とした場合に、他の子局との間で通信を行っているときは、センター局との通信に切換えて通話終了処理を完了した後に子局内への電源電圧の供給をオフとし、センター局との間で通信を行っているときは、通話終了処理を完了した後に子局内への電源電圧の供給をオフとし、すなわち、センター局との通話終了手順が完了した時点で子局側の装置の電源をオフとしていた。
【０００３】
しかしながら、この公報に開示された従来技術は、他の子局との間で通信を行っているときに、自局の電源がオフ状態とされたことを相手の子局に通知していないため、自局がセンター局との通話終了シーケンスに入っていても、相手の子局は通常時の通話シーケンスに従って動作し、したがって、相手の子局が終話処理に入るまで使用している衛星回線は開放されず、衛星回線の効率的な利用が行なえないという問題が残されている。
【０００４】
【発明が解決しようとする課題】
上述した従来のＤＡＭＡ衛星通信方式の回線解放装置は、他の子局との間で通信を行っているときに、自局の電源がオフ状態となることを相手の子局に通知することがないため、相手の子局が終話処理に入るまで使用している衛星回線は開放されず、衛星回線の効率的な利用が行なえないという欠点がある。
【０００５】
本発明の目的は、このような従来の欠点を除去するため、自局の電源がオフになることを通話中の相手の子局にも通知することで、相手の子局の終話処理を迅速に行なわせ、衛星回線の効率的な利用が可能となるＤＡＭＡ衛星通信方式の回線解放装置を提供することにある。
【０００６】
【課題を解決するための手段】
本発明のＤＡＭＡ衛星通信方式の回線解放方法は、衛星地球局である複数の子局と、前記子局からの通信要求信号を衛星回線を介して受信したとき前記子局及び相手の子局に衛星回線の割り当てを行なうセンター局とからなるデマンドアサインメント多元接続通信方式の回線解放方法において、前記子局が前記相手の子局との通信中に電源オフが要求された場合に、前記相手の子局に対して自局の電源オフが要求されたことを通知した後に、前記センター局との通話終了処理を行うことにより、通信回線の解放が行なわれることを特徴としている。
【０００７】
また、前記子局が、前記相手の子局に対して電源オフの要求による通話終了を通知した後に、前記子局および前記相手の子局がそれぞれに前記センター局との前記通話終了処理を行うことにより、通信回線の解放が行なわれることを特徴としている。
【０００８】
また、本発明のＤＡＭＡ衛星通信方式の回線解放装置は、衛星地球局である複数の子局と、前記子局からの通信要求信号を衛星回線を介して受信したとき前記子局及び相手の子局に衛星回線の割り当てを行なうセンター局とからなるデマンドアサインメント多元接続通信方式の回線解放装置において、前記子局が衛星からの受信データを解析する解析手段と、前記センター局または前記相手の子局へ送る制御データを生成する送信データ生成手段と、前記解析手段出力の解析結果および自局の電源オン／オフ要求を行うスイッチの状態を監視し、前記相手の子局との通信中に電源オフが要求された場合に、前記相手の子局に対して自局の電源オフが要求されたことを通知する指示と、前記センター局との通話終了手続きに入る指示とを行い、前記通話終了手続きが完了したことを確認した後に、前記自局内の電源電圧の供給をオフとする制御を行う判断手段と、を備えることを特徴としている。
【００１０】
また、本発明のＤＡＭＡ衛星通信方式の回線解放装置は、衛星地球局である複数の子局と、前記子局からの通信要求信号を衛星回線を介して受信したとき前記子局及び相手の子局に衛星回線の割り当てを行なうセンター局とから成るデマンドアサインメント多元接続通信方式の回線解放装置において、前記子局がアンテナからの受信信号を周波数変換するとともに送信信号を周波数変換して前記アンテナへ送出する無線部と、周波数変換された前記受信信号を復調する復調部と、復調された受信データを解析する受信データ解析部と、解析された前記受信データに基づく通信状態および自局の電源オン／オフ要求を行うスイッチの状態を監視し、電源オフが要求されたとき、子局間の通信の場合には、前記相手の子局への通話終了を通知するとともに前記センター局との通話終了手続きを完了した後に前記自局内の電源供給のオフを指示し、前記センター局間の通信の場合には、前記センター局との通話終了手続きを完了した後に前記自局内の電源電圧の供給のオフを指示する判断部と、前記センター局または前記相手の子局へ送る制御データを生成し送信データを多重化する送信データ生成部と、多重化された前記送信データを変調して前記無線部へ供給する変調部と、外部のデータ入出力装置との間で送受信データを受け渡すデータインタフェース部と、前記判断部の指示により各部に電源電圧を供給する電源供給部と、より構成されることを特徴としている。
【００１２】
【発明の実施の形態】
次に、本発明の実施の形態について図面を参照して説明する。図１は、本発明の実施の形態を示すシステム構成図及び子局のブロック図である。
【００１３】
図１に示す本実施の形態は、衛星１０と、衛星地球局である子局３０−１、３０−２と、いずれかの子局から通信要求信号を衛星回線を介して受信したとき子局及び相手の子局に衛星回線の割り当てを行なうセンター局２０とより構成されている。
【００１４】
また、センター局２０は、子局通信の回線制御を行うＤＡＭＡ制御部２１と、衛星通信用の変復調器などからなる無線部２２と、システムの運用状態、アラーム情報などを表示する回線の使用状況や子局アラーム等を表示するＣＲＴ画面などの表示部２３とより構成されている。
【００１５】
一方、子局３０−１、３０−２は、同一の構成を有する衛星地球局であり、アンテナからの受信信号を周波数変換するとともに送信信号を周波数変換してアンテナへ送出する無線部３１と、周波数変換された受信信号を復調する復調部３２と、復調された受信データを解析する受信データ解析部３３と、解析された受信データに基づく通信状態および自局の電源オン／オフ要求を行うスイッチ３９の状態を監視して自局内の電源電圧の供給を制御する判断部３４と、センター局または相手の子局へ送る制御データを生成し送信データを多重化する送信データ生成部３５と、多重化された送信データを変調して無線部３１へ供給する変調部３６と、外部のデータ入出力装置４１−１、４１−２との間で送受信データを受け渡すデータインタフェース部３７と、判断部３４の指示により各部に電源電圧を供給する電源供給部３８とより構成されている。
【００１６】
次に、本実施の形態のＤＡＭＡ衛星通信方式の回線解放装置の動作を図１を参照して詳細に説明する。
【００１７】
まず、センター局２０は、共通制御信号であるＣＳＣ（Ｃｏｍｍｏｎ  Ｓｉｇｎａｌｉｎｇ  Ｃｈａｎｎｅｌ）下り信号５１を、子局３０−１、３０−２に対して同報的に送出する。一方、子局３０−１、３０−２は、それぞれにＣＳＣ下り信号５１から自局宛てに送られてきた制御信号を抽出し、その応答をバースト信号でセンター局２０宛てに返送する。それが、ＣＳＣ登り信号５２である。子局３０−１、３０−２が通話モードになると、子局間の通話になるため、子局３０−１、３０−２間では通話信号５３が相互に送られる。
【００１８】
次に、子局での動作について、子局３０−１の場合を説明する。
【００１９】
無線部３１は、アンテナで受信した高周波の信号を周波数変換して復調部３２へ出力する。また、変調部３６から出力された送信データを高周波の送信信号に変換してアンテナへ送出する。
【００２０】
復調部３２は、周波数変換された信号を復調した受信データを受信データ解析部３３へ出力する。
【００２１】
受信データ解析部３３は、復調された受信データを解析し、センター局２０との通信あるいは子局間通信で用いられる制御情報を抽出して判断部３４へ出力し、また、子局間通信での相手の子局端末から送られたデータをデータインタフェース部３７へ送出する。
【００２２】
判断部３４は、受信データ解析部３３で解析された受信データの内容を判別し、ＣＳＣ情報の時はその内容に従い、センター局２０への送信データがある場合にはその指令を送信データ生成部３５へ出力する。
【００２３】
また、判断部３４は、解析された受信データに基づく通信状態および自局の電源オン／オフ要求を行うスイッチ３９の状態を監視して自局内の電源電圧の供給を制御する。すなわち、スイッチ３９がオン状態になっているときには、電源供給部３８に対して各部に電源電圧を供給する制御信号を出力し、スイッチ３９がオン状態からオフ状態になったことを検出すると、子局３０−１の現在の通信状態のチェックを行い、子局間の通信の場合には、相手の子局への通話終了を通知する指示とともにセンター局との通話終了手続きの開始を指示し、通話終了手続きが完了したことを確認した後に自局内の電源電圧の供給をオフとする制御信号を出力する。また、センター局２０間の通信の場合には、センター局２０との通話終了手続きの開始を指示し、通話終了手続きが完了したことを確認した後に自局内の電源電圧の供給をオフとする制御信号を出力する。
【００２４】
送信データ生成部３５は、判断部３４から受け取る送信データと、データインタフェース部３７から送られてきた子局間通信での相手の子局端末へ送るデータとを多重化し、変調部３６へ出力する。
【００２５】
変調部３６は、送信データ生成部３５から受け取った送信データの変調を行い無線部３１へ出力する。
【００２６】
データインタフェース部３７は、相手の子局から送られたデータを、データ入出力装置４１−１へ送るとともに、データ入出力装置４１−１から入力された相手の子局へ送るデータを受け取り送信データ生成部３５へ出力する。
【００２７】
スイッチ３９は、自局の電源オン／オフ要求を行うスイッチであり、そのスイッチ３９のオンまたはオフの状態が判断部３４へ伝えられる。
【００２８】
電源供給部３８は、判断部３４から出力された制御信号に従って、商用電源等の外部からの電源入力を内部の各回路に供給する。
【００２９】
データ入出力装置４１−１は、相手の子局からの受信用データを電話機、ファックス、パソコン等により出力し、入力された送信用データをデータインタフェース部３７へ送る。
【００３０】
次に、本実施の形態の衛星回線の解放方法の動作を図１および図２を参照して詳細に説明する。図２は、本実施の形態における呼接続および終話の手順を示すシーケンス図である。
【００３１】
センター局２０は、子局３０−１から発呼要求が送出されると、着呼局である子局３０−２に対して相手局確認を送出する。
【００３２】
子局３０−２は、判断部３４で相手局確認の信号を判断し、センター局２０に対して相手局応答信号を送出する。
【００３３】
センター局２０は、子局３０−２から相手局応答信号を受信すると、子局３０−１、３０−２に周波数の割り当てを行なう。
【００３４】
子局３０−１、３０−２は、周波数が割当てられると、子局間通信を行なうために、接続処理を行ない、通話モードに入る。
【００３５】
ここで、子局３０−１側で電源オフ要求が行なわれた場合を考える。まず、子局３０−１では、判断部３４が電源オフ要求を検出したとき電源オフ要求の情報を送信データ生成部３５へ送出する。そして、送信データ生成部３５で生成された送信データが変調部３６で変調され、子局３０−２に向けて送出される。
【００３６】
子局３０−２は、子局３０−１からの送信データを受け取り、判断部３４で内容の判別を行い、その応答信号を子局３０−１に向けて送出する。
【００３７】
子局３０−１は、子局３０−２からの応答信号を受信した後、子局３０−１で電源オフ要求が発生したための終話処理であることを示すデータが入っている終話通知をセンター局２０へ送出する。
【００３８】
センター局２０は、終話通知を受け取ると、終話確認信号を子局３０−１に返送する。
【００３９】
子局３０−１は、センター局２０からの終話確認信号を受信すると直ちに電源オフを実行する。
【００４０】
このように、子局３０−１が電源オフ要求を検出して、センター局２０との間で終話処理に入る前に、相手の子局３０−２へ終話処理に入る通知を行うことにより、図３に示す従来の終話手順のように、子局３０−２が通話モードに取り残され、子局３０−２の使用している衛星回線が開放されない状態になることを防ぐことができる。
【００４１】
上述の本実施の形態では、子局３０−１が電源オフ要求により終話処理を行なう場合を述べたが、子局３０−２がセンター局２０に通知する終話処理の情報の中に、子局３０−１に電源オフ要求があったことを入れることにより、子局３０−１が終話処理の最中に通信できなくなっても、センター局２０では子局３０−１に電源オフ要求があったことを認識でき、回線の開放を効率よく行なうことができる。すなわち、子局３０−１、３０−２がセンター局２０に通知する終話処理の情報により、子局３０−１あるいは子局３０−２のいずれかが、終話処理の最中に通信できなくなっても、センター局２０では子局３０−１に電源オフ要求があったことを確実に認識でき、回線の開放を効率よく行なうことができる。
【００４２】
以上のように、通話中の子局が電源を切られることを切られる前に通話中の相手の子局に通知することによって、相手の子局はその信号を受信すると直ちに終話処理に入ることが可能となり、また、センター局に対して自局の通話していた相手の子局が電源を切る状態にあることを通知することで、センター局は終話処理をすばやく行えるため、衛星回線資源の有効利用を促進することが可能となる。
【００４３】
また、本実施の形態では、構成を簡単にするため子局の数が２局の場合について示しているが、２局以上の場合でも同等の効果が得られることは明らかである。
【００４４】
【発明の効果】
以上説明したように、本発明の衛星回線の解放方法および装置によれば、自局の電源オフをセンター局に通知するとともに通話中の相手の子局にも通知することにより、相手の子局の終話処理を迅速に行なわせ、回線開放を効率よく行なえるという効果がある。
【図面の簡単な説明】
【図１】本発明の実施の形態を示すシステム構成図及び子局のブロック図である。
【図２】本実施の形態における呼接続および終話の手順を示すシーケンス図である。
【図３】従来の呼接続および終話の手順を示すシーケンス図である。
【符号の説明】
１０    衛星
２０    センター局
２１    ＤＡＭＡ制御部
２２    無線部
２３    表示部
３０−１、３０−２    子局
３１    無線部
３２    復調部
３３    受信データ解析部
３４    判断部
３５    送信データ生成部
３６    変調部
３７    データインタフェース部
３８    電源供給部
３９    スイッチ
４１−１、４１−２    データ入出力装置
【図１】
0003603781.tif 000002
【図２】
0003603781.tif 000003
【図３】
0003603781.tif 000004